(57)【要約】【課題】耐湿性に優れ、かつ大きな容量を有する積層コンデンサを提供する。【解決手段】第１の内部電極１１は、第１の有効部１１Ａと、第２の主面１０ｂの長さ方向Ｌにおける一方側部分に引き出された第１の引き出し部１１ｃと、第２の主面１０ｂの長さ方向Ｌにおける他方側部分に引き出された第２の引き出し部１１ｄとを有する。第２の内部電極１２は、第１の有効部１１Ａと幅方向において対向している第２の有効部１２Ａと、第２の主面１０ｂのうち、長さ方向Ｌにおいて第１の引き出し部１１ｃと第２の引き出し部１１ｄとの間に位置する部分に引き出された第３の引き出し部１２ｂとを有する。第１及び第２の有効部１１Ａ，１２Ａは、それぞれ、第１〜第３の引き出し部１１ｃ、１１ｄ、１２ｂの最も第１の主面１０ａ側に位置する部分よりも第２の主面１０ｂ側に位置する部分を有する。【選択図】図６
2014220528.tif 000002
【特許請求の範囲】
【請求項１】
長さ方向及び幅方向に沿って延びる第１及び第２の主面と、長さ方向及び厚み方向に沿って延びる第１及び第２の側面と、幅方向及び厚み方向に沿って延びる第１及び第２の端面とを有するコンデンサ本体と、
前記第２の主面の長さ方向における前記第１の端面側の部分と、前記第１の端面、第１の側面、第２の側面とに跨がって設けられた第１の端子電極と、
前記第２の主面の長さ方向における前記第２の端面側の部分と、前記第２の端面と、第１の側面、第２側面に跨がって設けられた第２の端子電極と、
前記第２の主面の長さ方向において前記第１の端子電極と前記第２の端子電極との間に位置する部分と、前記第１及び第２の側面のそれぞれとに跨がって設けられた第３の端子電極と、
前記コンデンサ本体内において、長さ方向及び厚み方向に沿って設けられた第１の内部電極と、
前記コンデンサ本体内において、長さ方向及び厚み方向に沿って設けられており、前記幅方向に前記第１の内部電極と対向している第２の内部電極と、
を備え、
前記第２の主面における前記第３の端子電極の長さ方向の寸法は、前記第２の主面における前記第１および第２の端子電極の長さ方向の寸法より大きく、
前記第１の内部電極は、
前記第２の内部電極と対向している第１の有効部と、
前記第１の有効部に接続されており、前記第２の主面の長さ方向における一方側部分に引き出された第１の引き出し部と、
前記第１の有効部に接続されており、前記第２の主面の長さ方向における他方側部分に引き出された第２の引き出し部と、
を有し、
前記第２の内部電極は、
前記第１の有効部と幅方向において対向している第２の有効部と、
前記第２の有効部に接続されており、前記第２の主面のうち、長さ方向において前記第１の引き出し部と前記第２の引き出し部との間に位置する部分に引き出された第３の引き出し部と、
を有し、
前記第１及び第２の有効部は、それぞれ、前記第１〜第３の引き出し部の最も前記第１の主面側に位置する部分よりも前記第２の主面側に位置する部分を有する、積層コンデンサ。
【請求項２】
前記第１の有効部は、厚み方向から視た際に、長さ方向において前記第１〜第３の引き出し部が設けられていない領域において前記第２の主面側に突出する第１の突出部を含み、
前記第２の有効部は、厚み方向から視た際に、長さ方向において前記第１〜第３の引き出し部が設けられていない領域において前記第２の主面側に突出しており、幅方向において前記第１の突出部と対向している第２の突出部を含む、請求項１に記載の積層コンデンサ。
【請求項３】
前記第１及び第２の端子電極が接地用端子電極を構成しており、前記第３の端子電極が信号端子電極を構成している、請求項１又は２に記載の積層コンデンサ。
【請求項４】
前記第１及び第２の端子電極が信号端子電極を構成しており、前記第３の端子電極が信号端子電極を構成している、請求項１又は２に記載の積層コンデンサ。
【請求項５】
長さ寸法が２．０ｍｍ〜２．１ｍｍであり、厚み寸法が０．７ｍｍ〜１．０ｍｍであり、幅寸法が１．２ｍｍ〜１．４ｍｍであり、静電容量が４７μＦ〜４８μＦである、請求項１〜４のいずれか一項に記載の積層コンデンサ。
【発明の詳細な説明】
【技術分野】
【０００１】
本発明は、積層コンデンサに関する。
【背景技術】
【０００２】
従来、例えば積層セラミックコンデンサ等の積層コンデンサが広く使用されている。例えば、特許文献１には、直方体型の積層セラミックコンデンサが記載されている。特許文献１に記載の積層セラミックコンデンサは、第１及び第２の信号端子電極と、接地用端子電極とを有する。第１及び第２の信号端子電極は、それぞれ、第１の内部電極に接続されており、第１の信号端子電極は、一の主面の長さ方向における一方側端部の上に設けられている。第２の信号端子電極は、一の主面の長さ方向における他方側端部の上に設けられている。接地用端子電極は、第１の内部電極とセラミック部を介して対向している第２の内部電極に接続されている。接地用端子電極は、一の主面の上の部分であって、長さ方向において第１の信号端子電極と第２の信号端子電極との間に位置する部分の上に設けられている。
【先行技術文献】
【特許文献】
【０００３】
【特許文献１】特開２０１３−４６０５２号公報
【発明の概要】
【発明が解決しようとする課題】
【０００４】
特許文献１に記載されたような第１及び第２の信号端子電極並びに接地用端子電極を有する積層コンデンサの耐湿性を維持しつつ容量を大きくしたいという要望がある。
【０００５】
本発明の主な目的は、耐湿性に優れ、かつ大きな容量を有する積層コンデンサを提供することにある。
【課題を解決するための手段】
【０００６】
本発明に係る積層コンデンサは、コンデンサ本体と、第１の内部電極と、第２の内部電極と、第１の端子電極と、第２の端子電極と、第３の端子電極とを備える。コンデンサ本体は、第１及び第２の主面と、第１及び第２の側面と、第１及び第２の端面とを有する。第１及び第２の主面は、長さ方向及び幅方向に沿って延びる。第１及び第２の側面は、長さ方向及び厚み方向に沿って延びる。第１及び第２の端面は、幅方向及び厚み方向に沿って延びる。第１の内部電極は、コンデンサ本体内において、長さ方向及び厚み方向に沿って設けられている。第２の内部電極は、コンデンサ本体内において、長さ方向及び厚み方向に沿って設けられている。第２の内部電極は、幅方向に第１の内部電極と対向している。第１の端子電極は、第２の主面の長さ方向における第１の端面側の部分と、第１の端面、第１の側面、第２の側面とに跨がって設けられている。第２の端子電極は、第２の主面の長さ方向における第２の端面側の部分と、第２の端面と、第１の側面、第２側面に跨がって設けられている。第３の端子電極は、第２の主面の長さ方向において第１の端子電極と第２の端子電極との間に位置する部分と、第１及び第２の側面のそれぞれとに跨がって設けられている。第２の主面における第３の端子電極の長さ方向の寸法は、第２の主面における第１および第２の端子電極の長さ方向の寸法より大きい。第１の内部電極は、第１の有効部と、第１の引き出し部と、第２の引き出し部とを有する。第１の有効部は、第２の内部電極と対向している。第１の引き出し部は、第１の有効部に接続されている。第１の引き出し部は、第２の主面の長さ方向における一方側部分に引き出されている。第２の引き出し部は、第１の有効部に接続されている。第２の引き出し部は、第２の主面の長さ方向における他方側部分に引き出されている。第２の内部電極は、第２の有効部と、第３の引き出し部とを有する。第２の有効部は、第１の有効部と幅方向において対向している。第３の引き出し部は、第２の有効部に接続されている。第３の引き出し部は、第２の主面のうち、長さ方向において第１の引き出し部と第２の引き出し部との間に位置する部分に引き出されている。第１及び第２の有効部は、それぞれ、第１〜第３の引き出し部の最も第１の主面側に位置する部分よりも第２の主面側に位置する部分を有する。
【０００７】
本発明に係る積層コンデンサでは、第１の有効部が、厚み方向から視た際に、長さ方向において第１〜第３の引き出し部が設けられていない領域において第２の主面側に突出する第１の突出部を含み、第２の有効部は、厚み方向から視た際に、長さ方向において第１〜第３の引き出し部が設けられていない領域において第２の主面側に突出しており、幅方向において第１の突出部と対向している第２の突出部を含むことが好ましい。
【０００８】
本発明に係る積層コンデンサでは、第１及び第２の端子電極が接地用端子電極を構成しており、第３の端子電極が信号端子電極を構成していてもよい。
【０００９】
本発明に係る積層コンデンサでは、第１及び第２の端子電極が信号端子電極を構成しており、第３の端子電極が信号端子電極を構成していてもよい。
【００１０】
本発明に係る積層コンデンサでは、長さ寸法が２．０ｍｍ〜２．１ｍｍであり、厚み寸法が０．７ｍｍ〜１．０ｍｍであり、幅寸法が１．２ｍｍ〜１．４ｍｍであり、静電容量が４７μＦ〜４８μＦであってもよい。
【発明の効果】
【００１１】
本発明によれば、耐湿性に優れ、かつ大きな容量を有する積層コンデンサを提供することができる。
【図面の簡単な説明】
【００１２】
【図１】第１の実施形態における積層コンデンサの模式的斜視図である。
【図２】第１の実施形態における積層コンデンサの第２の側面の模式的正面図である。
【図３】第１の実施形態における積層コンデンサの第２の端面の模式的正面図である。
【図４】図２の線ＩＶ−ＩＶにおける模式的断面図である。
【図５】図４の線Ｖ−Ｖにおける模式的断面図である。
【図６】図４の線ＶＩ−ＶＩにおける模式的断面図である。
【図７】第２の実施形態における積層コンデンサの模式的断面図である。
【図８】第２の実施形態における積層コンデンサの模式的断面図である。
【図９】第３の実施形態における積層コンデンサの模式的断面図である。
【図１０】第３の実施形態における積層コンデンサの模式的断面図である。
【図１１】第４の実施形態における積層コンデンサの模式的斜視図である。
【図１２】第４の実施形態における積層コンデンサの模式的断面図である。
【図１３】第４の実施形態における積層コンデンサの模式的断面図である。
【発明を実施するための形態】
【００１３】
以下、本発明を実施した好ましい形態の一例について説明する。但し、下記の実施形態は、単なる例示である。本発明は、下記の実施形態に何ら限定されない。
【００１４】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１５】
図１は、本実施形態における積層コンデンサの模式的斜視図である。図２は、本実施形態における積層コンデンサの第２の側面の模式的正面図である。図３は、本実施形態における積層コンデンサの第２の端面の模式的正面図である。図４は、図２の線ＩＶ−ＩＶにおける模式的断面図である。図５は、図４の線Ｖ−Ｖにおける模式的断面図である。図６は、図４の線ＶＩ−ＶＩにおける模式的断面図である。
【００１６】
図１〜図６に示されるように、積層コンデンサ１は、コンデンサ本体１０を備えている。コンデンサ本体１０は、略直方体状である。コンデンサ本体１０の角部や稜線部は、面取り状に設けられていてもよいし、丸められた形状を有していてもよい。また、主面、側面には、凹凸が設けられていてもよい。
【００１７】
コンデンサ本体１０は、第１及び第２の主面１０ａ、１０ｂと、第１及び第２の側面１０ｃ、１０ｄと、第１及び第２の端面１０ｅ、１０ｆとを有する。第１及び第２の主面１０ａ、１０ｂは、それぞれ、幅方向Ｗと、長さ方向Ｌとに沿って延びている。第１及び第２の側面１０ｃ、１０ｄは、それぞれ、幅方向Ｗと、厚み方向Ｔとに沿って延びている。第１及び第２の端面１０ｅ、１０ｆは、それぞれ、長さ方向Ｌと、厚み方向Ｔとに沿って延びている。長さ方向Ｌは、幅方向Ｗに対して垂直である。厚み方向Ｔは、長さ方向Ｌと幅方向Ｗとのそれぞれに対して垂直である。
【００１８】
積層コンデンサ１の長さ寸法は２．００ｍｍ〜２．１０ｍｍであることが好ましく、厚み寸法は０．７ｍｍ〜１．０ｍｍであることが好ましく、幅寸法は１．２ｍｍ〜１．４ｍｍであることが好ましい。
【００１９】
コンデンサ本体１０は、例えば、誘電体セラミックスにより形成することができる。誘電体セラミックスの具体例としては、例えば、ＢａＴｉＯ３、ＣａＴｉＯ３、ＳｒＴｉＯ３、ＣａＺｒＯ３などが挙げられる。コンデンサ本体１０には、積層コンデンサ１に要求される特性に応じて、例えばＭｎ化合物、Ｍｇ化合物、Ｓｉ化合物、Ｆｅ化合物、Ｃｒ化合物、Ｃｏ化合物、Ｎｉ化合物、希土類化合物などの副成分が適宜添加されていてもよい。
【００２０】
図４に示されるように、コンデンサ本体１０の内部には、複数の第１の内部電極１１と、複数の第２の内部電極１２とが設けられている。第１の内部電極１１と第２の内部電極１２とは、それぞれ、長さ方向Ｌ及び厚み方向Ｔに沿って設けられている。第１の内部電極１１と第２の内部電極１２とは、幅方向Ｗに沿って交互に間隔を置いて設けられている。幅方向Ｗにおいて隣り合う第１の内部電極１１と第２の内部電極１２とは、セラミック部１０ｇを介して幅方向Ｗにおいて対向している。
【００２１】
図５に示されるように、第１の内部電極１１は、第１及び第２の主面１０ａ、１０ｂのそれぞれに引き出されている。具体的には、第１の内部電極１１は、有効部１１Ａと、引き出し部１１ａ〜１１ｄを有する。有効部１１Ａは、第２の内部電極１２とセラミック部１０ｇを介して厚み方向ｗに対向している。引き出し部１１ａは、有効部１１Ａから第１の主面１０ａ側に延びている。引き出し部１１ａは、第１の主面１０ａの長さ方向ＬにおけるＬ１側部分に引き出されている。引き出し部１１ｂは、有効部１１Ａから第１の主面１０ａ側に延びている。引き出し部１１ｂは、第１の主面１０ａの長さ方向ＬにおけるＬ２側部分に引き出されている。引き出し部１１ｃは、有効部１１Ａから第２の主面１０ｂ側に延びている。引き出し部１１ｃは、第２の主面１０ｂの長さ方向ＬにおけるＬ１側部分に引き出されている。引き出し部１１ｄは、有効部１１Ａから第２の主面１０ｂ側に延びている。引き出し部１１ｄは、第２の主面１０ｂの長さ方向ＬにおけるＬ２側部分に引き出されている。第１の内部電極１１は、第１及び第２の端面１０ｅ、１０ｆから離間している。すなわち、第１の内部電極１１は、第１及び第２の端面１０ｅ、１０ｆには引き出されていない。
【００２２】
本実施形態において、有効部１１Ａが「第１の有効部」を構成している。引き出し部１１ｃが「第１の引き出し部」を構成している。引き出し部１１ｄが「第２の引き出し部」を構成している。
【００２３】
図６に示されるように、第２の内部電極１２は、第１及び第２の主面１０ａ、１０ｂのそれぞれに引き出されている。具体的には、第２の内部電極１２は、有効部１２Ａと、引き出し部１２ａ，１２ｂを有する。有効部１２Ａは、有効部１１Ａと、セラミック部１０ｇを介して幅方向Ｗに対向している。引き出し部１２ａは、有効部１２Ａから第１の主面１０ａ側に延びている。引き出し部１２ａは、第１の主面１０ａの長さ方向Ｌにおける中央部に引き出されている。引き出し部１２ａは、長さ方向Ｌにおいて、引き出し部１１ａと、引き出し部１１ｂとの間に設けられている。引き出し部１２ｂは、有効部１２Ａから第２の主面１０ｂ側に延びている。引き出し部１２ｂは、第２の主面１０ｂの長さ方向Ｌにおける中央部に引き出されている。引き出し部１２ｂは、長さ方向Ｌにおいて、引き出し部１１ｃと引き出し部１１ｄとの間に設けられている。引き出し部１２ａ、１２ｂと、引き出し部１１ａ〜１１ｄとは、幅方向Ｗにおいて互いに対向しないように設けられている。第２の内部電極１２は、第１及び第２の端面１０ｅ、１０ｆから離間している。すなわち、第２の内部電極１２は、第１及び第２の端面１０ｅ、１０ｆには引き出されていない。
【００２４】
第１及び第２の内部電極１１，１２は、例えば、Ｎｉ、Ｃｕ，Ａｇ，Ｐｄ，Ａｕ，Ａｇ−Ｐｄ合金などの金属等により構成することができる。
【００２５】
図１，図２、図５及び図６に示されるように、第２の主面１０ｂの上には、端子電極１３〜１５が設けられている。本実施形態では、端子電極１３，１４が接地用端子電極を構成している。端子電極１５が信号端子電極を構成している。
【００２６】
図１に示されるように端子電極１３は、第２の主面１０ｂの長さ方向Ｌにおける第１の端面１０ｅ側（Ｌ１側）部分の上に設けられている。端子電極１３は、第２の主面１０ｂの幅方向Ｗにおける一方側端部から他方側端部に跨がって設けられている。端子電極１３は、第２の主面１０ｂの上から、第１及び第２の側面１０ｃ、１０ｄ並びに第１の端面１０ｅのそれぞれの上に跨がるように設けられている。端子電極１３は、第１の側面１０ｃの上に設けられた部分１３ａと、第２の側面１０ｄの上に設けられた部分１３ｂと、第１の端面１０ｅの上に設けられた部分１３ｃとを有する。端子電極１３は、第１の主面１０ａには至っていない。すなわち、部分１３ａ〜１３ｃは、第１の主面１０ａには至っていない。部分１３ａ〜１３ｃの厚み方向Ｔに沿った長さは、コンデンサ本体１０の厚み方向Ｔに沿った長さの１／２未満であることが好ましく、１／３以下であることがより好ましい。
【００２７】
図５に示されるように、端子電極１３は、第１の内部電極１１に接続されている。端子電極１３は、第１の内部電極１１の引き出し部１１ｃを覆っている。
【００２８】
図１に示されるように、端子電極１４は、第２の主面１０ｂの長さ方向Ｌにおける第２の端面１０ｆ側（Ｌ２側）部分の上に設けられている。端子電極１４は、第２の主面１０ｂの幅方向Ｗにおける一方側端部から他方側端部に跨がって設けられている。端子電極１４は、第２の主面１０ｂの上から、第１及び第２の側面１０ｃ、１０ｄ並びに第２の端面１０ｆのそれぞれの上に跨がるように設けられている。端子電極１４は、第１の側面１０ｃの上に設けられた部分１４ａと、第２の側面１０ｄの上に設けられた部分１４ｂと、第２の端面１０ｆの上に設けられた部分１４ｃとを有する。端子電極１４は、第１の主面１０ａには至っていない。すなわち、部分１４ａ〜１４ｃは、第１の主面１０ａには至っていない。部分１４ａ〜１４ｃの厚み方向Ｔに沿った長さは、コンデンサ本体１０の厚み方向Ｔに沿った長さの１／２未満であることが好ましく、１／３以下であることがより好ましい。
【００２９】
図５に示されるように、端子電極１４は、第１の内部電極１１に接続されている。端子電極１４は、第１の内部電極１１の引き出し部１１ｄを覆っている。
【００３０】
図１に示されるように、端子電極１５は、第２の主面１０ｂの長さ方向Ｌにおいて端子電極１３と端子電極１４との間に位置する部分の上に設けられている。端子電極１５は、第２の主面１０ｂの幅方向Ｗにおける一方側端部から他方側端部に跨がって設けられている。端子電極１５は、端子電極１３，１４とは離間している。端子電極１５は、第２の主面１０ｂの上から、第１及び第２の側面１０ｃ、１０ｄのそれぞれの上に跨がって設けられている。端子電極１５は、第１の側面１０ｃの上に位置する部分１５ａと、第２の側面１０ｄの上に位置する部分１５ｂとを有する。端子電極１５は、第１の主面１０ａには至っていない。すなわち、部分１５ａ、１５ｂの厚み方向Ｔに沿った長さは、コンデンサ本体１０の厚み方向Ｔに沿った長さの１／２未満であることが好ましく、１／３以下であることがより好ましい。
【００３１】
図６に示されるように、端子電極１５は、第２の内部電極１２に接続されている。端子電極１５は、第２の内部電極１２の引き出し部１２ｂを覆っている。
【００３２】
第１の主面１０ａの上には、端子電極１６〜１８が設けられている。本実施形態では、端子電極１６，１７が接地用端子電極を構成している。端子電極１８が信号端子電極を構成している。
【００３３】
図１に示されるように、端子電極１６は、第１の主面１０ａの長さ方向Ｌにおける第１の端面１０ｅ側（Ｌ１側）部分の上に設けられている。端子電極１６は、第１の主面１０ａの幅方向Ｗにおける一方側端部から他方側端部に跨がって設けられている。端子電極１６は、第１の主面１０ａの上から、第１及び第２の側面１０ｃ、１０ｄ並びに第１の端面１０ｅのそれぞれの上に跨がるように設けられている。端子電極１６は、第１の側面１０ｃの上に設けられた部分１６ａと、第２の側面１０ｄの上に設けられた部分１６ｂと、第１の端面１０ｅの上に設けられた部分１６ｃとを有する。端子電極１６は、第２の主面１０ｂには至っていない。すなわち、部分１６ａ〜１６ｃは、第２の主面１０ｂには至っていない。部分１６ａ〜１６ｃの厚み方向Ｔに沿った長さは、コンデンサ本体１０の厚み方向Ｔに沿った長さの１／２未満であることが好ましく、１／３以下であることがより好ましい。
【００３４】
図５に示されるように、端子電極１６は、第１の内部電極１１に接続されている。端子電極１６は、第１の内部電極１１の引き出し部１１ａを覆っている。
【００３５】
図１に示されるように端子電極１７は、第１の主面１０ａの長さ方向Ｌにおける第２の端面１０ｆ側（Ｌ２側）部分の上に設けられている。端子電極１７は、第１の主面１０ａの幅方向Ｗにおける一方側端部から他方側端部に跨がって設けられている。端子電極１７は、第１の主面１０ａの上から、第１及び第２の側面１０ｃ、１０ｄ並びに第２の端面１０ｆのそれぞれの上に跨がるように設けられている。端子電極１７は、第１の側面１０ｃの上に設けられた部分１７ａと、第２の側面１０ｄの上に設けられた部分１７ｂと、第２の端面１０ｆの上に設けられた部分１７ｃとを有する。端子電極１７は、第２の主面１０ｂには至っていない。すなわち、部分１７ａ〜１７ｃは、第１の主面１０ａには至っていない。部分１７ａ〜１７ｃの厚み方向Ｔに沿った長さは、コンデンサ本体１０の厚み方向Ｔに沿った長さの１／２未満であることが好ましく、１／３以下であることがより好ましい。
【００３６】
図５に示されるように、端子電極１７は、第１の内部電極１１に接続されている。端子電極１７は、第１の内部電極１１の引き出し部１１ｂを覆っている。
【００３７】
図１に示されるように端子電極１８は、第１の主面１０ａの長さ方向Ｌにおいて端子電極１６と端子電極１７との間に位置する部分の上に設けられている。端子電極１８は、第１の主面１０ａの幅方向Ｗにおける一方側端部から他方側端部に跨がって設けられている。端子電極１８は、端子電極１６，１７とは離間している。端子電極１８、第１の主面１０ａの上から、第１及び第２の側面１０ｃ、１０ｄのそれぞれの上に跨がって設けられている。端子電極１８は、第１の側面１０ｃの上に位置する部分１８ａと、第２の側面１０ｄの上に位置する部分１８ｂとを有する。端子電極１８は、第２の主面１０ｂには至っていない。すなわち、部分１８ａ、１８ｂの厚み方向Ｔに沿った長さは、コンデンサ本体１０の厚み方向Ｔに沿った長さの１／２未満であることが好ましく、１／３以下であることがより好ましい。
【００３８】
図６に示されるように、端子電極１８は、第２の内部電極１２に接続されている。端子電極１８は、第２の内部電極１２の引き出し部１２ａを覆っている。
【００３９】
端子電極１３〜１８のそれぞれは、例えば、Ｎｉ、Ｃｕ，Ａｇ，Ｐｄ，Ａｕ，Ｓｎ，Ｃｒ，Ａｇ−Ｐｄ合金等の適宜の金属等により構成することができる。
【００４０】
ところで、積層コンデンサの耐湿性は、内部電極の有効部への侵入のしやすさに左右される。内部電極の有効部に水分が侵入しやすいと積層コンデンサの耐湿性は悪くなる。このため、積層コンデンサの耐湿性をよくするためには、内部電極の有効部に水分が侵入しにくくする必要がある。有効部に水分が侵入しにくくする方法としては、例えば、引き出し部の長さを長くすることが考えられる。しかしながら、引き出し部の長さを長くすると有効部の面積が小さくなるため、容量が小さくなる傾向にある。
【００４１】
積層コンデンサ１では、第１及び第２の有効部１１Ａ，１２Ａが、それぞれ、引き出し部１１ｃ、１１ｄ、１２ｂの最も第１の主面１０ａ側に位置する部分よりも第２の主面１０ｂ側に位置する部分を有する。このため、引き出し部１１ｃ、１１ｄ、１２ｂの長さを確保して耐湿性の劣化を抑制しつつ、第１の有効部１１Ａと第２の有効部１２Ａとの対向面積を大きくできるので、容量を大きくすることができる。
【００４２】
具体的には、図５に示されるように、第１の有効部１１Ａは、厚み方向Ｔから視た際に、長さ方向Ｌにおいて引き出し部１１ｃ、１１ｄ、１２ｂが設けられていない領域において、第２の主面１０ｂ側に突出する第１の突出部１１Ａ１，１１Ａ２を含む。第２の有効部１２Ａは、厚み方向Ｔから視た際に、長さ方向Ｌにおいて引き出し部１１ｃ、１１ｄ、１２ｂが設けられていない領域において、第２の主面１０ｂ側に突出する第２の突出部１２Ａ１，１２Ａ２を含む。幅方向Ｗにおいて、第１の突出部１１Ａ１と第２の突出部１２Ａ１とが対向している。幅方向Ｗにおいて、第１の突出部１１Ａ２と第２の突出部１２Ａ２とが対向している。このため、第１の突出部１１Ａ１，１１Ａ２及び第２の突出部１２Ａ１，１２Ａ２が設けられた分、容量が大きくされている。しかしながら、引き出し部１１ｃ、１１ｄ、１２ｂの長さは、第１の突出部１１Ａ１，１１Ａ２及び第２の突出部１２Ａ１，１２Ａ２が設けられていないときと同様である。従って、耐湿性は劣化しない。
【００４３】
なお、第１及び第２の有効部１１Ａ，１２Ａの形状は、積層セラミックコンデンサ１を第１の側面または第２の側面から幅方向に研磨することによって現れる第１及び第２の有効部１１Ａ，１２ＡをＮＩＫＯＮ製のＭＭ−６０にて、２０倍の倍率で観察することによって確認することができる。
【００４４】
以下、本発明の好ましい実施形態の他の例について説明する。以下の説明において、上記第１の実施形態と実質的に共通の機能を有する部材を共通の符号で参照し、説明を省略する。
【００４５】
（第２及び第３の実施形態）
図７は、第２の実施形態における積層コンデンサの模式的断面図である。図８は、第２の実施形態における積層コンデンサの模式的断面図である。図９は、第３の実施形態における積層コンデンサの模式的断面図である。図１０は、第３の実施形態における積層コンデンサの模式的断面図である。
【００４６】
第１の実施形態では、第１の突出部１１Ａ１，１１Ａ２及び第２の突出部１２Ａ１，１２Ａ２がドーム型である例について説明した。但し、本発明において、第１及び第２の突出部の形状は特に限定されない。例えば、図７及び図８に示されるように、第１の突出部１１Ａ１，１１Ａ２及び第２の突出部１２Ａ１，１２Ａ２は、台形状であってもよい。例えば、図９及び図１０に示されるように、第１の突出部１１Ａ１，１１Ａ２及び第２の突出部１２Ａ１，１２Ａ２は、三角形状であってもよい。
【００４７】
（第４の実施形態）
図１１は、第４の実施形態における積層コンデンサの模式的斜視図である。図１２は、第４の実施形態における積層コンデンサの模式的断面図である。図１３は、第４の実施形態における積層コンデンサの模式的断面図である。
【００４８】
第１〜第３の実施形態では、端子電極１３〜１５に加え、第１の主面１０ａ側に端子電極１６〜１８が設けられている例について説明した。但し、本発明は、この構成に限定されない。
【００４９】
例えば、図１１〜図１３に示すように、端子電極として、端子電極１３〜端子電極１５の３つの端子電極のみが設けられていてもよい。
【符号の説明】
【００５０】
１  積層コンデンサ
１０  コンデンサ本体
１０ａ  第１の主面
１０ｂ  第２の主面
１０ｃ  第１の側面
１０ｄ  第２の側面
１０ｅ  第１の端面
１０ｆ  第２の端面
１０ｇ  セラミック部
１１  第１の内部電極
１１Ａ  第１の有効部
１１Ａ１，１１Ａ２  第１の突出部
１２  第２の内部電極
１２Ａ  第２の有効部
１２Ａ１，１２Ａ２  第２の突出部
１１ａ〜１１ｄ，１２ａ，１２ｂ  引き出し部
１３〜１８  端子電極
【図１】
2014220528.tif 000003
【図２】
2014220528.tif 000004
【図３】
2014220528.tif 000005
【図４】
2014220528.tif 000006
【図５】
2014220528.tif 000007
【図６】
2014220528.tif 000008
【図７】
2014220528.tif 000009
【図８】
2014220528.tif 000010
【図９】
2014220528.tif 000011
【図１０】
2014220528.tif 000012
【図１１】
2014220528.tif 000013
【図１２】
2014220528.tif 000014
【図１３】
2014220528.tif 000015